(57)【特許請求の範囲】
【請求項１】
フィルタと、利用者の顔面の全面を覆う面体と、利用者の口と鼻とを覆うノーズカップとを備える呼吸装置の装着時に使用可能な水晶体線量計支持体であって、直立した使用者の頭部に装着されて使用される時の呼吸装置の上下方向を呼吸装置の上下方向と定義した時に、ノーズカップ基部の上半部と面体との間に形成された上に凸の半環状の隙間に嵌合する半環状の嵌合部と、前記隙間に嵌合した嵌合部の両端を連結すると共に面体両側部と面体前面上部と沿って延在する湾曲部とを有する環状フレームと、前記湾曲部の面体側部に沿って延在する部位に配設された水晶体線量計支持部とを備えることを特徴とする水晶体線量計支持体。
【請求項２】
前記湾曲部の前記嵌合部との接続部からの距離が異なる複数の水晶体線量計支持部を備えることを特徴とする請求項１に記載の水晶体線量計支持体。
【請求項３】
前記嵌合部の一端側と他端側の両方に配設された水晶体線量計支持部を備えることを特徴とする請求項１又は２に記載の水晶体線量計支持体。
【発明の詳細な説明】
【技術分野】
【０００１】
本発明は、フィルタと、利用者の顔面の全面を覆う面体と、利用者の口と鼻とを覆うノーズカップとを備える呼吸装置の装着時に使用可能な、水晶体線量計支持体に関するものである。
【背景技術】
【０００２】
放射線作業従事者の眼の水晶体の被爆量を検出する水晶体線量計が市場に提供されている。当該線量計は一端部に放射線検出素子が取り付けられたアームを形成しており、放射線作業従事者の後頭部と両側頭部とに亙って延在可能な馬蹄形の支持体の一端に、アームの他端が回動可能に脱着される。
【発明の概要】
【発明が解決しようとする課題】
【０００３】
フィルタと、利用者の顔面の全面を覆う面体と、利用者の口と鼻とを覆うノーズカップとを備える呼吸装置を装着した放射線作業従事者が、前述の水晶体線量計を使用すべく、前述の馬蹄形支持体を頭部に装着すると、面体側部と顔面側部との当接部に馬蹄形支持体の一部が介在し、面体と顔面との当接部の気密性が損なわれる。
従って本発明は、フィルタと、利用者の顔面の全面を覆う面体と、利用者の口と鼻とを覆うノーズカップとを備える呼吸装置の装着時に、面体と顔面との当接部の気密性を損なうことなく使用可能な、水晶体線量計支持体を提供することを目的とする。
【課題を解決するための手段】
【０００４】
上記課題を解決するために、本発明においては、フィルタと、利用者の顔面の全面を覆う面体と、利用者の口と鼻とを覆うノーズカップとを備える呼吸装置の装着時に使用可能な水晶体線量計支持体であって、直立した使用者の頭部に装着されて使用される時の呼吸装置の上下方向を呼吸装置の上下方向と定義した時に、ノーズカップ基部の上半部と面体との間に形成された上に凸の半環状の隙間に嵌合する半環状の嵌合部と、前記隙間に嵌合した嵌合部の両端を連結すると共に面体両側部と面体前面上部と沿って延在する湾曲部とを有する環状フレームと、前記湾曲部の面体側部に沿って延在する部位に配設された水晶体線量計支持部とを備えることを特徴とする水晶体線量計支持体を提供する。
環状フレームを面体内に装着し、水晶体線量計支持部に水晶体線量計を装着する。水晶体線量計は一端部に放射線検出素子が取り付けられたアームを形成する既存のものに限定されない。水晶体線量計支持部の構造は支持する水晶体線量計の構造に合わせて最適化される。環状フレームは面体内にあり、面体と顔面との当接部には介在しないので、面体と顔面との当接部の気密性を損なわない。環状フレームは、半環状の嵌合部がノーズカップ基部の上半部と面体との間の上に凸の半環状の隙間に嵌合することにより、安定して面体に装着される。従って、作業中に水晶体線量計支持体の装着状態が不安定になる恐れは無い。環状フレームと水晶体線量計支持部とを備える水晶体線量計支持体は、全面形面体を備える既存の呼吸装置に脱着できるので、利便性が高い。
【０００５】
本発明の好ましい態様においては、水晶体線量計支持体は、前記湾曲部の前記嵌合部との接続部からの距離が異なる複数の水晶体線量計支持部を備える。
作業者の顔の大きさに応じて、水晶体線量計の取り付け高さを調節可能とすることにより、水晶体線量計の使い勝手が向上する。
本発明の好ましい態様においては、水晶体線量計支持体は、前記嵌合部の一端側と他端側の両方に配設された水晶体線量計支持部を備える。
作業者が、顔の左右どちら側でも、水晶体線量計を装着できるようにすることにより、水晶体線量計の使い勝手が向上する。
【図面の簡単な説明】
【０００６】
【図１】全面形面体を有する呼吸装置の正面図である。
【図２】全面形面体を有する呼吸装置の背面図である。
【図３】本発明の実施例に係る水晶体線量計支持体の正面図である。
【図４】本発明の実施例に係る水晶体線量計支持体の背面図である。
【図５】本発明の実施例に係る水晶体線量計支持体を装着した全面形面体を有する呼吸装置の正面図である。
【図６】本発明の実施例に係る水晶体線量計支持体を装着した全面形面体を有する呼吸装置の背面図である。
【図７】本発明の実施例に係る水晶体線量計支持体を装着した全面形面体を有する呼吸装置の、アイピースの一部と面体本体部の一部と水晶体線量計支持体の一部とを断面で示した、側面図である。
【発明を実施するための形態】
【０００７】
本発明の実施例に係る水晶体線量計支持体を説明する。
全面形面体を備える呼吸装置Ａを図１〜２に示す。呼吸装置Ａは、吸収缶や濾過剤等のフィルタ１と、利用者の顔面の全面を覆う碗形状の面体２と、利用者の口と鼻とを覆うノーズカップ３と、図示しない吸気弁と排気弁とを備えている。面体２は、顔面の前面上部を覆う透明プラスチック製のアイピース２ａと、顔面の前面下部と側部と前面頂部とを覆うエラストマー製の本体部２ｂとを有している。面体２は、本体部２ｂと一体形成されて碗形状体の開口縁に内フランジ状に配設された薄膜のシール部２ｂ’と、本体部２ｂと一体形成されて碗形状体の開口縁に外フランジ状に配設された装着バンド取付部２ｂ”とを有している。ノーズカップ３は、図７に示すように、面体２の前端下部に取り付けられた伝声器４に、面体内側から基部が外嵌合することにより、面体２に脱着可能に取り付けられている。
図３、４に示すように、プラスチック製の水晶体線量計支持体５は、半環状の嵌合部５ａ’と、嵌合部５ａ’の両端を連結する湾曲部５ａ”とを有する環状フレーム５ａと、湾曲部５ａ”の嵌合部５ａ’との接続部の近傍に配設されると共に前記接続部からの距離が異なる複数の水晶体線量計支持部５ｂとを備えている。水晶体線量計支持部５ｂは、一端部に放射線検出素子が取り付けられたアームを形成する既存の図示しない水晶体線量計の他端を係止することができる。水晶体線量計支持部５ｂは、嵌合部５ａ’の一端側と他端側とに、それぞれ複数配設されている。嵌合部５ａ’と湾曲部５ａ”と水晶体線量計支持部５ｂとは、一体形成されている。
図５〜７に示すように、直立した使用者の頭部に装着されて使用される時の呼吸装置Ａの上下方向を呼吸装置Ａの上下方向と定義した時に、より詳しくは、図１、５の上下左右方向を上下左右方向と定義し、図７の左右方向を前後方向と定義した時に、水晶体線量計支持体５は、嵌合部５ａ’を伝声器４に外嵌合したノーズカップ３基部の上半部と面体左右中央部のアイピース２ａ下部の前方への突出部との間に形成された上に凸の半環状の隙間に半環状の嵌合部５ａ’を嵌合させ、湾曲部５ａ”を面体本体部２ｂの両側部と前面上部と沿って延在させた状態で、面体２に装着される。水晶体線量計支持体５が面体２に装着されると、水晶体線量計支持部５ｂがアイピース２ａ下部の左右にそれぞれ複数位置決めされる。水晶体線量計支持体５は、面体２の後面側から、若干弾性変形させた状態で、面体２内に挿入され、面体２に装着される。
放射線作業者は、一端部に放射線検出素子が取り付けられたアームを形成する既存の図示しない水晶体線量計の他端を左右に複数配設された水晶体線量計支持部５ｂの何れかに係止させた後、呼吸装置Ａを頭部に装着する。放射線検出素子が左右何れかの眼の近傍に位置決めされて、放射線作業従事者の眼の水晶体の被爆量を検出する。
【０００８】
水晶体線量計支持体５は、アイピース２ａと本体部２ｂとシール部２ｂ’とで囲まれた面体２の内部空間内にあり、面体２と顔面との当接部、具体的にはシール部２ｂ’と顔面との当接部には介在しないので、当該当接部の気密性を損なわない。
環状フレーム５ａは、伝声器４に外嵌合したノーズカップ３基部の上半部と面体左右中央部のアイピース２ａ下部の前方への突出部との間に形成された上に凸の半環状の隙間に嵌合することにより、安定して面体２に装着される。従って、作業中に水晶体線量計支持体５の装着状態が不安定になり、ひいては水晶体線量計の装着状態が不安定になる恐れは無い。
環状フレーム５ａと水晶体線量計支持５ｂ部とを備える水晶体線量計支持体５は、全面形面体を備える既存の呼吸装置に脱着できるので、利便性が高い。
水晶体線量計支持体５は、湾曲部５ａ”の嵌合部５ａ’との接続部からの距離が異なる複数の水晶体線量計支持部５ｂを備えているので、作業者の顔の大きさに応じて、水晶体線量計の取り付け高さを調節し、水晶体線量計の放射線検出素子を作業者の眼の高さに位置決めすることができる。この結果、水晶体線量計の使い勝手が向上する。
水晶体線量計支持体５は、嵌合部５ａ’の一端側と他端側の両方に配設された水晶体線量計支持部５ｂを備えているので、放射線作業者は、顔の左右どちら側でも、水晶体線量計を装着することができる。この結果、水晶体線量計の使い勝手が向上する。
以上本発明の実施例を説明したが、水晶体線量計支持体５が支持する水晶体線量計は、一端部に放射線検出素子が取り付けられたアームを形成する既存のものに限定されない。前記既存の水晶体線量計とは異なる構造の水晶体線量計を支持する場合には、支持部５ｂを当該線量計の支持に適した構造にすれば良い。
【産業上の利用可能性】
【０００９】
本発明は、放射線作業者が使用する全面形面体を備える呼吸装置に広く利用可能である。
【符号の説明】
【００１０】
Ａ  呼吸装置
１  フィルタ
２  全面形面体
２ａ  アイピース
２ｂ  本体部
２ｂ’  シール部
２ｂ”  装着バンド取付部
３  ノーズカップ
４  伝声器
５    水晶体線量計支持体
５ａ  環状フレーム
５ａ’  嵌合部
５ａ”  湾曲部
５ｂ  水晶体線量計支持部
【図１】
0006516260.tif 000002
【図２】
0006516260.tif 000003
【図３】
0006516260.tif 000004
【図４】
0006516260.tif 000005
【図５】
0006516260.tif 000006
【図６】
0006516260.tif 000007
【図７】
0006516260.tif 000008